(57)【要約】      （修正有）【課題】家具本体に脚部を備えた木製椅子や木製テーブルや木製ソファ等の脚部を取付ける結合手段において、本体側に開けたテーパー穴に対して脚の上端をテーパー部とし、両者を強固に且つ軸心を一致させて連結する新規な木製家具を提供する。【解決手段】木製椅子１０や木製テーブルや木製ソファの家具本体に脚部１１を取付ける結合手段Ｋにおいて、本体側に開けたテーパー穴Ｈ１に対して脚部の上端をテーパー部１１Ａとし、両者を強固に且つ軸心Ｏを一致させて結合連結させた木製家具１０である。【選択図】図２
0003214628.tif 000002
【実用新案登録請求の範囲】
【請求項１】
木製椅子や木製テーブルや木製ソファなどの木製家具において、上記木製家具の本体側にテーパー穴（円錐穴）が設けられ、脚部の上端にテーパー部（円錐先端）が設けられ、上記テーパー穴（円錐穴）の軸心に上記テーパー部（円錐先端）の軸心を一致して接合連結されていることを特徴とする木製家具。
【請求項２】
上記請求項１記載の木製家具が木製椅子において、座板部と脚部と背もたれ部の支持棒とからなり、上記座板部の四隅底面に開けたテーパー穴（円錐穴）に対し、上記脚部の上端に形成したテーパー部（円錐先端）が連結され、上記座板部の上面後縁に開けた複数のテーパー穴（円錐穴）に対し、背もたれ部となる複数の支持棒の両端に形成したテーパー部（円錐先端）の下端側が連結され、上記支持棒の上端に形成したテーパー部（円錐先端）に背当板の底面に設けた複数のテーパー穴（円錐穴）が連結されていることを特徴とする木製椅子。
【請求項３】
上記請求項１記載の木製家具が木製テーブルにおいて、天板の底面四隅に開けたテーパー穴（円錐穴）に対し、上記脚部の上端に形成したテーパー部（円錐先端）が連結されていることを特徴とする木製テーブル。
【請求項４】
上記請求項１記載の木製家具が木製ソファにおいて、木製ソファを形成する本体枠の底面四隅に開けたテーパー穴（円錐穴）に対し、上記脚部の上端に形成したテーパー部（円錐先端）が連結されていることを特徴とする木製ソファ。
【考案の詳細な説明】
【技術分野】
【０００１】  本考案は、家具本体に脚部を備えた木製椅子や木製テーブルや木製ソファ等に関し、特に、家具本体に脚部を取付ける結合手段において、本体の底面にテーパー穴（円錐穴）を設け、脚の上端をテーパー部（円錐先端）とし、上記テーパー穴（円錐穴）にテーパー部（円錐先端）を軸心一致させて結合連結させた新規な木製家具を提供する。
【背景技術】
【０００２】  従来から、家具本体に脚部を備えた木製椅子や木製テーブルや木製ソファ等は、例えば、図７に示す木製椅子の脚の接合法が知られている。即ち、木製椅子の事例で説明すれば、椅子１の座板２の四隅に開けた穴（ストレート孔）３に、脚部４の上端を小径に削った丸ホゾ５を挿入して脚を座板に組付けていたから、早期に緩みを生じる。そこで、丸ホゾ５に溝６を刻んでここに楔７を打ち込んで緩みが生じないようにしている。【０００３】  また、別の家具本体に脚部を備えた木製椅子や木製テーブルや木製ソファ等において、脚の接合法には、高い位置精度で取付けを行う取付部材が提供されている。具体的には、取付部材は、所定方向に長さを有する柱状の部材であって、被取付体に形成された挿入穴に挿入される挿入部を備える。挿入部には、所定方向に関して予め定められた範囲にある領域である第１領域に設けられ、挿入部の外側表面から外方向に突き出す複数の第１突起と、所定方向に関して第１領域とは重複しない範囲にある領域である第２領域に設けられ、所定方向と交差する外方向に突き出す複数の第２突起と、が設けられているものである（例えば、特許文献１。）。
【先行技術文献】
【特許文献】
【０００４】
【特許文献１】特開２０１６−１９５６３３号公報
【考案の概要】
【考案が解決しようとする課題】
【０００５】  上記図７に示す木製椅子の脚の接合法は、丸ホゾ５に溝６を刻んでここに楔７を打ち込んで緩みが生じないようにしている。この接合法は、日本建築に観られる古来からの伝統的な施工法である。然し乍ら、作業手順や仕上げ精度と仕上げ時間に職人の個人差が生じる上、脚端部の丸ホゾ５に溝６を刻んでここに楔７を打ち込むから、細い脚では、丸ホゾ５の肉厚が薄くなって強度不足を招き、脚部に掛かる横方向（脚の軸心方向と直角方向の外力）の外力に対して、容易に破損する危険性が指摘される。従って、椅子やソファ等のように、人間の体重（４０ｋｇ〜１００ｋｇ）が脚に掛かる木製家具の脚部の接合方法としては、安定した使用感と安全性が保障されない可能性がある。【０００６】  また、特開２０１６−１９５６３３号公報の取付部材は、脚の複数の突起と被取付体に形成された挿入穴との係合に緩みが有り、強固な結合が不可能である。仮に、強固に接合されていたとしても、椅子やソファ等のように、人間の体重（４０ｋｇ〜１００ｋｇ）が脚に掛かる木製家具の脚部の接合方法としては、人間の体重（４０ｋｇ〜１００ｋｇ）の繰返し負荷で、次第に接合部に緩みを生じ始めるから、安定した使用感と安全性が保障されない可能性がある。【０００７】  本考案は、上記各接合法が持つ問題点に鑑みてなされた。その目的は、家具本体に脚部を備えた木製椅子や木製テーブルや木製ソファ等に関し、特に、家具本体に脚部を取付ける結合手段において、本体の底面にテーパー穴（円錐穴）を設け、脚の上端をテーパー部（円錐先端）とし、上記テーパー穴（円錐穴）にテーパー部（円錐先端）を軸心一致させて結合連結させた新規な木製家具を提供するものである。
【課題を解決するための手段】
【０００８】  上記目的を達成した本考案の請求項１による木製家具は、木製椅子や木製テーブルや木製ソファなどの木製家具において、上記木製家具の本体側にテーパー穴（円錐穴）が設けられ、脚部の上端にテーパー部（円錐先端）が設けられ、上記テーパー穴（円錐穴）の軸心に上記テーパー部（円錐先端）の軸心を一致して接合連結されていることを特徴とする。【０００９】  請求項２によるする木製椅子は、上記請求項１記載の木製家具が木製椅子において、座板部と脚部と背もたれ部の支持棒とからなり、上記座板部の四隅底面に開けたテーパー穴（円錐穴）に対し、上記脚部の上端に形成したテーパー部（円錐先端）が連結され、上記座板部の上面後縁に開けた複数のテーパー穴（円錐穴）に対し、背もたれ部となる複数の支持棒の両端に形成したテーパー部（円錐先端）の下端側が連結され、上記支持棒の上端に形成したテーパー部（円錐先端）に背当板の底面に設けた複数のテーパー穴（円錐穴）が連結されていることを特徴とする。【００１０】  請求項３による木製テーブルは、上記請求項１記載の木製家具が木製テーブルにおいて、天板の底面四隅に開けたテーパー穴（円錐穴）に対し、上記脚部の上端に形成したテーパー部（円錐先端）が連結されていることを特徴とする。【００１１】  請求項４による木製ソファは、上記請求項１記載の木製家具が木製ソファにおいて、木製ソファを形成する本体枠の底面四隅に開けたテーパー穴（円錐穴）に対し、上記脚部の上端に形成したテーパー部（円錐先端）が連結されていることを特徴とする。
【考案の効果】
【００１２】  上記請求項１記載の木製家具によると、家具本体に脚部を取付ける結合手段において、本体側に開けたテーパー穴（円錐穴）に対して脚の上端をテーパー部（円錐先端）とし、両者を強固に且つ軸心を一致させて接合連結させたから、椅子やソファ等のように、人間の体重（４０ｋｇ〜１００ｋｇ）が脚に掛かる木製家具の脚部の接合法としては、人間の体重（４０ｋｇ〜１００ｋｇ）の繰返し負荷でも、接合部に緩みを生じないから、安定した使用感と安全性が保障される新規な木製家具が提供できる。【００１３】  上記請求項２〜４記載の木製家具である具体的な木製椅子や木製テーブルや木製ソファにおいて、本体側に開けたテーパー穴（円錐穴）に対して脚の上端をテーパー部（円錐先端）とし、両者を強固に且つ軸心を一致させて接合連結させたから、人間の体重（４０ｋｇ〜１００ｋｇ）やその他の繰返し負荷でも、接合部に緩みを生じないから、安定した使用感と安全性と高寿命が保障される。
【図面の簡単な説明】
【００１４】
【図１】  本考案の第１実施の形態で、木製家具となる木製椅子の斜視図である。
【図２】  本考案の第１実施の形態で、木製椅子の断面組立図である。
【図３】  本考案の第１実施の形態で、木製椅子の要部の詳細断面図である。
【図４】  本考案の第１実施の形態で、木製椅子の接合部の断面図である。
【図５】  本考案の第２実施の形態で、木製テーブルの全体図と接合部の断面図である。
【図６】  本考案の第３実施の形態で、木製ソファ全体斜視図と接合部の拡大断面図である。
【図７】  従来の木製椅子の脚の接合法を示す側面図と斜視図である。
【考案を実施するための形態】
【００１５】  以下、図１〜図６を参照し、本考案の木製家具の各実施の形態となる木製椅子や木製テ  ーブルや木製ソファについて、順次に説明する。
【実施例】
【００１６】  本考案の各実施の形態となる木製家具１０〜３０は、図１〜図６のように構成されている。即ち、木製家具は、木製椅子１０や木製テーブル２０や木製ソファ３０などの木製家具１０〜３０に、脚部１１，２２，３３、支持棒１４等を取付ける結合手段Ｋにおいて、先ず、第１実施の形態は、本体側に開けたテーパー穴（円錐穴）Ｈ１に対して脚部１１の上端をテーパー部（円錐先端）１１Ａとし、上記両者を強固に且つ軸心Ｏを一致させて結合連結させたものである。【００１７】  続いて、第１実施の形態となる図１〜図５に示す木製椅子１０から詳細に説明する。
木製椅子１０は、座板部１２と背もたれ部１３と脚部１１とからなり、上記座板部の四隅底面に開けたテーパー穴（円錐穴）Ｈ１に対し、上記脚部１１の上端に形成したテーパー部（円錐先端）１１Ａを挿入連結している。上記座板部の上面後部１２Ａに開けたテーパー穴（円錐穴）Ｈ２に対し、上記背もたれ部１３となる複数の支持棒１４の下端に形成したテーパー部（円錐先端）１４Ａが挿入連結している。更に、各支持棒１４の上端に形成したテーパー部（円錐先端）１４Ｂに、背当て１５の底面に設けた複数のテーパー穴（円錐穴）Ｈ３を挿入連結させた構成からなる。これにより、脚部１１のテーパー部（円錐先端）１１Ａとテーパー穴（円錐穴）Ｈ１及び、上面後部１２Ａに開けたテーパー穴（円錐穴）Ｈ２と支持棒１４の下端に形成したテーパー部（円錐先端）１４Ａ及び、支持棒１４の上端に形成したテーパー部（円錐先端）１４Ｂに背当て１５のテーパー穴（円錐穴）Ｈ３とは、接合連結時に各軸心方向Ｏが自動的に一致する。尚、連結を高めるべく、図４に示すように、テーパー部（円錐先端）１１Ａとテーパー穴（円錐穴）Ｈ１との連結部Ｋに、木工用の接着剤Ｓを塗布することで完璧な連結がなされる。他の連結部Ｋも同様である。【００１８】  尚、図３に示すように、上記テーパー部（円錐先端）１１Ａ，１４Ａ，１４Ｂ，２２Ａ，３３Ａの加工は、旋盤のバイトＢにより任意な角度θにテーパー加工を行う。このテーパー角度θは、１°〜４５°の範囲内のように強い連結強度が得られる数値が任意に選択される。他方のテーパー穴（円錐穴）Ｈ１，Ｈ２，Ｈ３，Ｈ４，Ｈ５の加工は、刃物Ｃが回転するフライス盤又はボール盤によるテーパー加工で同様に行われる。上記テーパー穴やテーパー棒加工は、この分野で一般的な技術であるから詳細は省略する。【００１９】  上記木製椅子１０によるときは、人間の体重（４０ｋｇ〜１００ｋｇ）が脚部１１に掛かっても、更に、人間の体重（４０ｋｇ〜１００ｋｇ）の繰返し負荷でも、テーパー部（円錐先端）１１Ａ，１４Ａ，１４Ｂとテーパー穴（円錐穴）Ｈ１，Ｈ２，Ｈ３とは食い込み方向の荷重となり、接合部Ｋは益々連結を強めて緩みを生ぜず、安定した使用感と安全性が保障される新規な木製家具となる。また、木製椅子１０の組立作業も、職人の技能優劣に係わらず容易にして高精度に行われるメリットが得られる。【００２０】  本考案の第２実施の形態となる木製家具２０は、図５のように木製テーブル２０にも適用される。その構成は、天板２１の底面四隅に開けた各テーパー穴（円錐穴）Ｈ４に対し、脚部２２の上端に形成したテーパー部（円錐先端）２２Ａを連結させてなる結合手段Ｋである。その他の構成は、木製椅子１０の脚部１１と座板部１２とほぼ同一であるから説明を省略する。【００２１】  上記木製テーブル２０によるときも、天板２１上に乗せた重量（４０ｋｇ〜１００ｋｇ）が脚部２２に掛かっても、重量（４０ｋｇ〜１００ｋｇ）の繰返し負荷でも、テーパー連結部は食い込み荷重となり接合部Ｋは益々連結を強めて緩みを生ぜず、安定した使用感と安全性が保障される新規な木製家具となる。また、木製テーブル２０の組立作業も、職人の技能優劣に係わらず容易にして高精度に行われる。【００２２】  本考案の第３実施の形態となる木製家具は、図６のように木製ソファ３０にも適用される。その構成は、ソファ（座部）３１を乗せた枠板３２の底面四隅に開けた各テーパー穴（円錐穴）Ｈ５に対し、脚部３３の上端に形成したテーパー部（円錐先端）３３Ａを連結させてなる結合手段Ｋである。その他の構成は、木製椅子１０の脚部１１と座板部１２とほぼ同一であるから説明は省略する。【００２３】  上記木製ソファ３０によるときも、ソファ３１上に腰掛ける人の重量（４０ｋｇ〜１００ｋｇ）が脚部３３に掛かっても、重量（４０ｋｇ〜１００ｋｇ）の繰返し負荷でも、テーパー連結部Ｋは食い込み荷重となり、この接合部Ｋは益々連結を強めて緩みを生ぜず、安定した使用感と安全性が保障される新規な木製家具となる。また、木製テーブル３０の組立作業も、職人の技能優劣に係わらず容易にして高精度に行われる。
【産業上の利用可能性】
【００２４】  本考案の木製家具は、上記各実施例で説明した木製椅子１０や木製テーブル２０や木製ソファ３０などの木製家具１０〜３０に限定されず、その他の各種木製家具（テレビ台、電話台、猫脚チェスト、下駄箱、整理ボックス、その他色々）にも、適宜に適用した設計変更が可能である。また、脚部や座板は木製に限定して説明したが、樹脂製や金属製においても適用可能であること勿論である。
【符号の説明】
【００２５】１０〜３０              木製家具
１０                    木製椅子
１１，２２              脚部
１１Ａ，１２Ａ，１２Ｂ  テーパー部（円錐先端）
Ｈ１〜Ｈ５              テーパー穴（円錐穴）
１２                    座板部
１３                    背もたれ部
１４                    支持棒
１４Ａ                  テーパー部（円錐先端）
１４Ｂ                  テーパー部（円錐先端）
１５                    背当て
２０                    木製テーブル
２１                    天板
２２Ａ，３３Ａ          テーパー部（円錐先端）
３０                    木製ソファ
３１                    ソファ
３２                    枠板
３３                    脚部
θ                      テーパー角度
Ｋ                      結合手段
Ｏ                      軸心
【図１】
0003214628.tif 000003
【図２】
0003214628.tif 000004
【図３】
0003214628.tif 000005
【図４】
0003214628.tif 000006
【図５】
0003214628.tif 000007
【図６】
0003214628.tif 000008
【図７】
0003214628.tif 000009
【手続補正書】
【提出日】平成29年9月2日(2017.9.2)
【手続補正１】
【補正対象書類名】実用新案登録請求の範囲
【補正対象項目名】全文
【補正方法】変更
【補正の内容】
【実用新案登録請求の範囲】
【請求項１】
木製椅子や木製テーブルや木製ソファなどの木製家具において、上記木製家具の本体側にテーパー穴が設けられ、脚部の上端にテーパー部が設けられ、上記テーパー穴の軸心に上記テーパー部の軸心を一致して接合連結されていることを特徴とする木製家具。
【請求項２】
上記請求項１記載の木製家具が木製椅子において、座板部と脚部と背もたれ部の支持棒とからなり、上記座板部の四隅底面に開けたテーパー穴に対し、上記脚部の上端に形成したテーパー部が連結され、上記座板部の上面後縁に開けた複数のテーパー穴に対し、背もたれ部となる複数の支持棒の両端に形成したテーパー部の下端側が連結され、上記支持棒の上端に形成したテーパー部に背当板の底面に設けた複数のテーパー穴（円錐穴）が連結されていることを特徴とする木製椅子。
【請求項３】
上記請求項１記載の木製家具が木製テーブルにおいて、天板の底面四隅に開けたテーパー穴に対し、上記脚部の上端に形成したテーパー部が連結されていることを特徴とする木製テーブル。
【請求項４】
上記請求項１記載の木製家具が木製ソファにおいて、木製ソファを形成する本体枠の底面四隅に開けたテーパー穴に対し、上記脚部の上端に形成したテーパー部が連結されていることを特徴とする木製ソファ。
【手続補正２】
【補正対象書類名】明細書
【補正対象項目名】０００７
【補正方法】変更
【補正の内容】
【０００７】  本考案は、上記各接合法が持つ問題点に鑑みてなされた。その目的は、家具本体に脚部を備えた木製椅子や木製テーブルや木製ソファ等に関し、特に、家具本体に脚部を取付ける結合手段において、本体の底面にテーパー穴を設け、脚の上端をテーパー部とし、上記テーパー穴にテーパー部を軸心一致させて結合連結させた新規な木製家具を提供するものである。
【手続補正３】
【補正対象書類名】明細書
【補正対象項目名】０００８
【補正方法】変更
【補正の内容】
【０００８】  上記目的を達成した本考案の請求項１による木製家具は、木製椅子や木製テーブルや木製ソファなどの木製家具において、上記木製家具の本体側にテーパー穴が設けられ、脚部の上端にテーパー部が設けられ、上記テーパー穴の軸心に上記テーパー部の軸心を一致して接合連結されていることを特徴とする。
【手続補正４】
【補正対象書類名】明細書
【補正対象項目名】０００９
【補正方法】変更
【補正の内容】
【０００９】  請求項２によるする木製椅子は、上記請求項１記載の木製家具が木製椅子において、座板部と脚部と背もたれ部の支持棒とからなり、上記座板部の四隅底面に開けたテーパー穴に対し、上記脚部の上端に形成したテーパー部が連結され、上記座板部の上面後縁に開けた複数のテーパー穴に対し、背もたれ部となる複数の支持棒の両端に形成したテーパー部の下端側が連結され、上記支持棒の上端に形成したテーパー部に背当板の底面に設けた複数のテーパー穴が連結されていることを特徴とする。
【手続補正５】
【補正対象書類名】明細書
【補正対象項目名】００１０
【補正方法】変更
【補正の内容】
【００１０】  請求項３による木製テーブルは、上記請求項１記載の木製家具が木製テーブルにおいて、天板の底面四隅に開けたテーパー穴に対し、上記脚部の上端に形成したテーパー部が連結されていることを特徴とする。
【手続補正６】
【補正対象書類名】明細書
【補正対象項目名】００１１
【補正方法】変更
【補正の内容】
【００１１】  請求項４による木製ソファは、上記請求項１記載の木製家具が木製ソファにおいて、木製ソファを形成する本体枠の底面四隅に開けたテーパー穴に対し、上記脚部の上端に形成したテーパー部が連結されていることを特徴とする。
【手続補正７】
【補正対象書類名】明細書
【補正対象項目名】００１２
【補正方法】変更
【補正の内容】
【００１２】  上記請求項１記載の木製家具によると、家具本体に脚部を取付ける結合手段において、本体側に開けたテーパー穴に対して脚の上端をテーパー部とし、両者を強固に且つ軸心を一致させて接合連結させたから、椅子やソファ等のように、人間の体重（４０ｋｇ〜１００ｋｇ）が脚に掛かる木製家具の脚部の接合法としては、人間の体重（４０ｋｇ〜１００ｋｇ）の繰返し負荷でも、接合部に緩みを生じないから、安定した使用感と安全性が保障される新規な木製家具が提供できる。
【手続補正８】
【補正対象書類名】明細書
【補正対象項目名】００１３
【補正方法】変更
【補正の内容】
【００１３】  上記請求項２〜４記載の木製家具である具体的な木製椅子や木製テーブルや木製ソファにおいて、本体側に開けたテーパー穴に対して脚の上端をテーパー部とし、両者を強固に且つ軸心を一致させて接合連結させたから、人間の体重（４０ｋｇ〜１００ｋｇ）やその他の繰返し負荷でも、接合部に緩みを生じないから、安定した使用感と安全性と高寿命が保障される。
【手続補正書】
【提出日】平成29年10月31日(2017.10.31)
【手続補正１】
【補正対象書類名】実用新案登録請求の範囲
【補正対象項目名】請求項２
【補正方法】変更
【補正の内容】
【請求項２】
上記請求項１記載の木製家具が木製椅子において、座板部と脚部と背もたれ部の支持棒とからなり、上記座板部の四隅底面に開けたテーパー穴に対し、上記脚部の上端に形成したテーパー部が連結され、上記座板部の上面後縁に開けた複数のテーパー穴に対し、背もたれ部となる複数の支持棒の両端に形成したテーパー部の下端側が連結され、上記支持棒の上端に形成したテーパー部に背当板の底面に設けた複数のテーパー穴が連結されていることを特徴とする木製椅子。